(57)【特許請求の範囲】
【請求項１】
複数の学校のそれぞれの合格難易度、試験科目、入学試験日、及び出願締切日を記憶する第１記憶手段と、
受験生の第一志望校を記憶する第２記憶手段と、
複数の過去の受験生のそれぞれが受験した受験校を記憶する第３記憶手段と、
前記第１記憶手段を参照して、前記受験生の第一志望校の入学試験日よりも入学試験日が前で、出願締切日が経過しておらず、且つ前記受験生の第一志望校の試験科目により受験可能な学校を併願校候補として抽出する抽出手段と、
抽出された前記併願校候補の学校名を合格難易度に応じた順序で所定のディスプレイに表示する表示制御手段と、を備え、
前記表示制御手段は、前記併願校候補に前記受験生の第一志望校を受験した前記過去の受験生の受験校があれば、その学校名を他の学校名よりも優先して表示することを特徴とする、
併願校選定支援装置。
【請求項２】
前記第３記憶手段を参照して、前記受験生の第一志望校を受験した前記過去の受験生が受験した受験校毎に、過去の受験生の志願者数をカウントする第１カウント手段をさらに備え、
前記表示制御手段は、合格難易度が同等の前記併願校候補の学校名を、前記第１カウント手段でカウントした志願者数に応じた順序で表示することを特徴とする、
請求項１記載の併願校選定支援装置。
【請求項３】
前記第２記憶手段は、受験生の在学校の学校名を記憶しており、
前記第３記憶手段は、過去の受験生が受験した受験校の受験結果と卒業した学校の学校名とを記憶しており、
前記第３記憶手段を参照して、前記受験生の在学校と同じ学校を卒業した過去の受験生が合格者数を受験校毎にカウントする第２カウント手段を有し、
前記表示制御手段は、前記志願者数が同じ学校の学校名を、前記第２カウント手段がカウントした合格者数に応じた順序で表示することを特徴とする、
請求項２記載の併願校選定支援装置。
【請求項４】
前記第１記憶手段は、前記複数の学校のそれぞれの前年度の実質倍率を記憶しており、
前記表示制御手段は、前記合格者数が同じ学校の学校名を前記実質倍率に応じた順序で表示することを特徴とする、
請求項３記載の併願校選定支援装置。
【請求項５】
前記表示制御手段は、所定数の併願校候補の学校名を表示しており、ユーザからの指示に応じてさらに多くの数の併願校候補の学校名を表示することを特徴とする、
請求項１〜４のいずれか１項記載の併願校選定支援装置。
【請求項６】
前記第２記憶手段は、前記受験生の成績を記憶しており、
前記受験生の前記第一志望校及び前記併願校候補の合格難易度と、該受験生の成績とに基づいて、前記第一志望校及び前記併願校候補に対する該受験生の合格可能性を判定する判定手段をさらに備えており、
前記表示制御手段は、前記判定手段による判定の結果、前記受験生の第一志望校の合格可能性よりも合格可能性の低い併願校候補の学校名を表示しないことを特徴とする、
請求項１〜５のいずれか１項記載の併願校選定支援装置。
【請求項７】
前記制御手段は、前記受験生が前記併願校候補から併願校を選択する際に、該受験生の第一志望校と該受験生が選択した併願校とのそれぞれの合格可能性を表す合格確率に基づいて、いずれか一つの学校に合格する確率、或いはいずれの学校にも合格しない確率を算出し、算出した結果を出力することを特徴とする、
請求項６記載の併願校選定支援装置。
【請求項８】
前記表示制御手段は、前記受験生と第一志望校が同じである前記過去の受験生の受験校のうち、前記過去の受験生が合格した受験校が前記併願校候補に含まれる場合に該学校の学校名を優先して表示することを特徴とする、
請求項１又は２記載の併願校選定支援装置。
【請求項９】
前記第１記憶手段は、前記複数の学校のそれぞれの試験科目の配点を記憶しており、
前記第２記憶手段は、前記受験生の試験科目毎の成績を記憶しており、
前記表示制御手段は、前記受験生の試験科目毎の成績から該受験生の得意科目を判断し、合格難易度が同等の前記併願校候補の学校名を、前記受験生の得意科目の配点に応じた順序で表示することを特徴とする、
請求項１記載の併願校選定支援装置。
【請求項１０】
前記表示制御手段は、前記第１記憶手段を参照して、前記併願校候補の入学試験日を確認し、前記併願校候補の学校名を入学試験日に応じて分けて表示することを特徴とする、
請求項１〜９のいずれか１項記載の併願校選定支援装置。
【請求項１１】
複数の学校のそれぞれの合格難易度、試験科目、入学試験日、及び出願締切日を記憶する第１記憶手段と、受験生の第一志望校を記憶する第２記憶手段と、複数の過去の受験生のそれぞれが受験した受験校を記憶する第３記憶手段と、を備える大容量記憶装置に通信可能に接続される装置により実行される方法であって、
前記装置が、
前記第２記憶手段を参照して前記受験生の第一志望校を確認し、
前記第１記憶手段を参照して、前記受験生の第一志望校の入学試験日よりも入学試験日が前で、出願締切日が経過しておらず、且つ前記受験生の第一志望校の試験科目により受験可能な学校を併願校候補として抽出し、
前記第３記憶手段を参照して、前記受験生の第一志望校を受験した前記過去の受験生を抽出して、該過去の受験生が受験した受験校を確認し、
前記併願校候補の学校名を合格難易度に応じた順序で所定のディスプレイに表示するとともに、前記併願校候補に前記受験生の第一志望校を受験した前記過去の受験生の受験校があれば、その学校名を他の学校名よりも優先して表示することを特徴とする、
併願校選定支援方法。
【請求項１２】
複数の学校のそれぞれの合格難易度、試験科目、入学試験日、及び出願締切日を記憶する第１記憶手段と、受験生の第一志望校を記憶する第２記憶手段と、複数の過去の受験生のそれぞれが受験した受験校を記憶する第３記憶手段と、を備える大容量記憶装置に通信可能に接続されるコンピュータを、
前記第１記憶手段を参照して、前記受験生の第一志望校の入学試験日よりも入学試験日が前で、出願締切日が経過しておらず、且つ前記受験生の第一志望校の試験科目により受験可能な学校を併願校候補として抽出する抽出手段、
抽出された前記併願校候補の学校名を合格難易度に応じた順序で所定のディスプレイに表示する表示制御手段、として機能させ、
前記表示制御手段に、前記併願校候補に前記受験生の第一志望校を受験した前記過去の受験生の受験校があれば、その学校名を他の学校名よりも優先して表示させる、
コンピュータプログラム。
【発明の詳細な説明】
【技術分野】
【０００１】
本発明は、大学等の受験時に第一志望校の他に受験する併願校の選定を支援するための併願校選定支援技術に関する。
【背景技術】
【０００２】
受験生は、進学に際して自身が希望する志望校を選定し、選定した志望校への合格を目標にした受験勉強を行うのが一般的である。受験生は、本命となる第一志望校と、いわゆる滑り止めとなる１以上の併願校を選定することが多い。受験生は、第一志望校に対する合格率の向上を目指しながら、少なくとも一つの併願校への合格を目指すことになる。
受験生による志望校の選定等を支援する技術として、例えば、特許文献１に開示された進路指導支援プログラムが知られている。この進路指導支援プログラムは、受験を希望する生徒の進路指導を支援するプログラムであって、複数の受験候補校の各々について、可能性偏差値帯を表示する。可能性偏差値帯は、所定の偏差値範囲に合否可能性判定が割り当てられた複数の可能性偏差値範囲に基づいて決定される。また、生徒の過去の複数回の偏差値の最高偏差値と最低偏差値とを帯状に示す生徒偏差値帯をも表示する。進路指導者は、可能性偏差値帯と生徒偏差値帯とに基づいて、その生徒の志望校の選定等の進路指導を行うことができる、とされる。
【０００３】
特許文献２は、生徒の志望校（学力校、目標校、適正校、挑戦校）を決定して、志望校に合格するための学習の進捗を支援する学習支援システムを開示する。学力校は、入塾時の生徒の実力だけで合格可能な学校である。目標校は、例えば、学習塾への入塾者に対して、本塾で学習すればその目標校に合格できるようになるという保証を提供するために決定される学校である。学力校及び目標校は、入塾時の偏差値に基づいて決定される。適正校は、例えば、生徒が、本塾での学習をこのままのペースで続ければ最終的に合格可能な学校である。適正校は、入塾後の定期テスト等により得られる現時点の偏差値に基づいて決定される。挑戦校は、生徒のやる気を評価し、本塾で学習すれば合格可能な目標校を超えて、生徒のやる気次第で合格可能となる学校である。挑戦校は、入塾時の偏差値又は現時点の偏差値にやる気推定値を加味した偏差値に基づいて決定される。
【先行技術文献】
【特許文献】
【０００４】
【特許文献１】特開２０１８−１８０８３３号公報
【特許文献２】特開２０１７−９０５５４号公報
【発明の概要】
【発明が解決しようとする課題】
【０００５】
受験生は、第一志望校については入念に調査、検討を行い、自身の希望や適正に則した学校を選定するが、併願校については、第一志望校ほどの入念さを持って学校の選定を行わないことが多い。また、受験生は、第一志望校用の受験勉強は行うが、併願校用の受験勉強を専らに行うことは少ないと思われる。
【０００６】
本発明は、上記課題に鑑みてなされたものであり、併願校の選定を効率的に支援する技術の提供を主たる目的とする。
【課題を解決するための手段】
【０００７】
本発明の一態様となる併願校選定支援装置は、複数の学校のそれぞれの合格難易度、試験科目、入学試験日、及び出願締切日を記憶する第１記憶手段と、受験生の第一志望校を記憶する第２記憶手段と、複数の過去の受験生のそれぞれが受験した受験校を記憶する第３記憶手段と、前記第１記憶手段を参照して、前記受験生の第一志望校の入学試験日よりも入学試験日が前で、出願締切日が経過しておらず、且つ前記受験生の第一志望校の試験科目により受験可能な学校を併願校候補として抽出する抽出手段と、抽出された前記併願校候補の学校名を合格難易度に応じた順序で所定のディスプレイに表示する表示制御手段と、を備え、前記表示制御手段は、前記併願校候補に前記受験生の第一志望校を受験した前記過去の受験生の受験校があれば、その学校名を他の学校名よりも優先して表示することを特徴とする。
【発明の効果】
【０００８】
本発明によれば、併願校候補に、第一志望校を受験した過去の受験生の受験校がある場合に、該併願校候補の学校名を他の学校名よりも優先して表示することで受験生に対して有用な情報を提供し、併願校の選定を容易にすることができる。
【図面の簡単な説明】
【０００９】
【図１】情報処理装置の構成図。
【図２】情報処理装置の機能ブロック図。
【図３】（ａ）〜（ｃ）は、大容量記憶装置に保存されるデータの説明図。
【図４】（ａ）、（ｂ）は、選定支援画像の例示図。
【図５】選定支援画像の例示図。
【図６】選定支援画像の例示図。
【図７】選定支援画像の例示図。
【図８】併願校選定支援処理を表すフローチャート。
【図９】（ａ）は学校データの説明図、（ｂ）は受験生データの説明図。
【発明を実施するための形態】
【００１０】
以下、図面を参照して実施の形態を詳細に説明する。
（構成）
図１は、本実施形態の併願校選定支援装置として機能する情報処理装置の構成図である。本実施形態の情報処理装置１は、例えばデータベース（以下、「ＤＢ」と記載する）を複数種有するデータベースシステムであり、大量のデータから所定の条件に基づいて検索したデータを出力するように構成されている。
【００１１】
情報処理装置１は、ＣＰＵ（Central Processing Unit）１０、ＲＯＭ（Read Only Memory）１１、ＲＡＭ（Random Access Memory）１２、及びＩ／Ｏインタフェース１３を備える。ＣＰＵ１０、ＲＯＭ１１、ＲＡＭ１２、及びＩ／Ｏインタフェース１３は、バス１４を介して通信可能に接続される。Ｉ／Ｏインタフェース１３には、入力装置２、出力装置３、及び大容量記憶装置４が接続される。
【００１２】
入力装置２は、例えばキーボード、マウス、タッチパネル等である。出力装置３は、例えばディスプレイ、プリンタ等である。大容量記憶装置４は、例えばＨＤＤ（Hard Disk Drive）、ＳＳＤ（Solid State Drive）等の書き換え可能な記憶装置である。大容量記憶装置４は、情報処理装置１内部に設けられる構成であってもよく、通信ケーブルを介して接続される外部装置であってもよい。また大容量記憶装置４は、クラウドに設けられるオンラインストレージであってもよい。本実施形態の大容量記憶装置４は、受験生が併願校を選定するのに有用な情報を提供するためのデータベースが構築される。
【００１３】
ＣＰＵ１０は、ＲＯＭ１１に格納されるコンピュータプログラムを実行することで、情報処理装置１の動作を制御する。ＲＡＭ１２は、ＣＰＵ１０が処理を行う際のワークエリアを提供する。ＣＰＵ１０は、Ｉ／Ｏインタフェース１３を介して入力装置２から入力されるデータや指示を受け付ける。ＣＰＵ１０は、Ｉ／Ｏインタフェース１３を介して出力装置３により情報を出力する。ＣＰＵ１０は、Ｉ／Ｏインタフェース１３を介して大容量記憶装置４にアクセス（書き込み及び読み出し）する。
【００１４】
図２は、情報処理装置１の機能ブロック図である。情報処理装置１は、例えばＣＰＵ１０がコンピュータプログラムを実行することにより各機能ブロックとして動作する。
情報処理装置１は、入力部１０１、出力部１０２、制御部１０３、学校ＤＢ管理部１０４、受験生ＤＢ管理部１０５、併願校候補抽出部１０６、及び合格可能性判定部１０７として機能する。大容量記憶装置４には、学校ＤＢ４０、受験生ＤＢ４１、実績ＤＢ４２が構築される。図３は、大容量記憶装置４に保存されるデータの説明図である。
【００１５】
制御部１０３は、学校ＤＢ管理部１０４、受験生ＤＢ管理部１０５、併願校候補抽出部１０６、及び合格可能性判定部１０７を制御する。制御部１０３は、これらを制御することで、学校ＤＢ４０、受験生ＤＢ４１、及び実績ＤＢ４２に基づいて受験生が併願校を選定する際に有用となる情報を抽出する。
【００１６】
入力部１０１は、入力装置２から入力されるデータや指示を受け付けて、制御部１０３へ送信する。出力部１０２は、制御部１０３の制御により出力装置３から情報を出力する。本実施形態では、出力部１０２は、出力装置３から、受験生が併願校を選定するのに有用な情報を画像として出力する。
【００１７】
学校ＤＢ管理部１０４は、制御部１０３の制御に基づいて、学校ＤＢ４０に保存される学校データの作成、削除、更新、読み出し等を行う。
図３（ａ）は、学校データの説明図である。学校データは、学校名毎に学校を識別する学校ＩＤを付与して保存され、該学校の学部、学科毎の合格難易度（合格可能偏差値）、出願締切日、入学試験日、合格発表日、試験科目、及び前年度の実質倍率等の項目を含む。学校データは、学科単位で保存されるため、一つの学校の学校データは、該学校の学科数だけ保存されることになる。学部は学部ＩＤにより識別され、学科は学科ＩＤにより識別される。
【００１８】
学校データは、例えば入力装置２から各情報が入力され、この情報に基づく制御部１０３からの指示に応じて学校ＤＢ管理部１０４により作成される。学校データの内容に変更がある場合、変更内容が入力装置２から入力される。学校ＤＢ管理部１０４は、制御部１０３の指示に応じて該変更内容により学校データを更新する。また、学校ＤＢ管理部１０４は、制御部１０３の制御により学校ＤＢ４０を参照し、必要な情報の読み出しを行う。
【００１９】
受験生ＤＢ管理部１０５は、制御部１０３の制御に基づいて、受験生ＤＢ４１に保存される受験生データの作成、削除、更新、読み出し等を行う。
図３（ｂ）は、受験生データの説明図である。受験生データは、受験生名毎に受験生を識別する受験生ＩＤを付与して保存され、該受験生の在学校名、第一志望校情報、及び成績履歴等の項目を含む。在学校名は在学校ＩＤにより識別される。第一志望校情報は、当該受験生のその時点の第一志望校、学部、学科を表す学校ＩＤ、学部ＩＤ、及び学科ＩＤを含む。成績履歴は、成績として、少なくとも当該受験生の最新の模擬試験等の結果（偏差値等）を含む。
【００２０】
受験生データは、例えば入力装置２から各情報が入力され、この情報に基づく制御部１０３の指示に応じて受験生ＤＢ管理部１０５により作成される。受験生データの内容に変更がある場合、変更内容が入力装置２から入力される。受験生ＤＢ管理部１０５は、制御部１０３の指示に応じて該変更内容により受験生データを変更する。また、受験生ＤＢ管理部１０５は、制御部１０３の制御により受験生ＤＢ４１を参照し、必要な情報の読み出しを行う。
【００２１】
受験生ＤＢ管理部１０５は、制御部１０３の制御により、受験が終了した過去の受験生（以降、「卒業生」という。）の受験生データに基づいて実績データを生成する。実績データは、卒業生が受験した受験校を記憶する。図３（ｃ）は、実績データの説明図である。実績データは、受験生データから受験生名、受験生ＩＤ、在学校ＩＤ、及び成績履歴を抽出し、これに進学実績情報を付加することで生成される。実績データの生成後に、元となった受験生データは削除される。進学実績情報は、受験校の学校ＩＤ、学部ＩＤ、学科ＩＤ、及びその受験結果を含む。受験校は、卒業生の第一志望校及び併願校である。図３（ｃ）の例では、第１志望校と二校の併願校を受験校として、各受験校の受験結果が進学実績情報に含まれる。
【００２２】
併願校候補抽出部１０６は、学校ＤＢ４０を参照して、受験生の第一志望校の学校データと他の学校データとの比較により、第一志望校に応じて受験生に推奨する併願校の候補である併願校候補を抽出する。併願校候補抽出部１０６は、学校ＤＢ４０により、受験生の第一志望校の学校データから入学試験日及び試験科目を取得する。併願校候補抽出部１０６は、学校ＤＢ管理部１０４により学校ＤＢ４０を検索し、第一志望校の入学試験日よりも入学試験日が前で、出願締切日が経過しておらず、且つ第一志望校の試験科目により受験可能な学校を併願校候補として抽出する。第一志望校の試験科目により受験可能な学校とは、試験科目が完全に同一の学校の他に、試験科目が第一志望校の試験科目に含まれる学校、一部の試験科目が同じで他の試験科目が関連する分野である学校等である。併願校候補抽出部１０６は、抽出した併願校候補の学校ＩＤ、学部ＩＤ、学科ＩＤを制御部１０３へ送信する。
【００２３】
合格可能性判定部１０７は、受験生データの成績履歴と学校データの合格可能偏差値とに基づいて、受験生の合格可能性の判定を行う。合格可能性判定部１０７は、受験生ＤＢ管理部１０５により、受験生ＤＢ４１の受験生データから受験生の第一志望校情報及び成績履歴を取得する。合格可能性判定部１０７は、第一志望校情報及び併願校候補抽出部１０６で抽出された併願校候補の学校ＩＤ、学部ＩＤ、学科ＩＤに基づいて、学校ＤＢ管理部１０４により、学校ＤＢ４０から第一志望校及び併願校候補の合格可能偏差値を取得する。合格可能性判定部１０７は、受験生の最新の成績と第一志望校及び併願校候補の合格可能偏差値とを比較し、その比較結果に応じて該受験生の合格可能性を判定する。合格可能性は、例えば合格確率（パーセント）や、Ａ判定、Ｂ判定といったランクにより表される。
【００２４】
制御部１０３は、以上のような併願校候補抽出部１０６及び合格可能性判定部１０７の動作を制御する。また、制御部１０３は、併願校候補抽出部１０６及び合格可能性判定部１０７による処理結果を取得し、併願校の選定支援画像を生成する。制御部１０３は、生成した選定支援画像を、出力部１０２を介して出力装置３から視認可能に出力する。出力装置３がディスプレイの場合、選定支援画像がディスプレイに表示される。出力装置３がプリンタの場合、選定支援画像が用紙に印刷される。これにより受験生に対して選定支援画像が提示される。制御部１０３は、出力装置３から画像を出力する表示制御手段として機能する。
【００２５】
（選定支援画像）
図４は、選定支援画像の例示図である。図４（ａ）、４（ｂ）の選定支援画像は、併願校候補抽出部１０６により抽出された併願校候補を、合格難易度（合格可能偏差値）に応じた順序で表示している。学校名の左の数字は合格難易度（合格可能偏差値）を示している。図４（ａ）の選定支援画像の「もっと見る」をユーザが入力装置２により選択することで、図４（ｂ）の選定支援画像が出力される。そのために図４の例では、図４（ａ）に表示される学校が図４（ｂ）に表示される学校よりも合格難易度が高い学校となる。つまり、図４（ａ）、４（ｂ）では、「Ａ１大学Ａ２学部Ａ３学科」が最も合格難易度が高い学校で他の併願校候補よりも優先的に表示されている。「Ｔ１大学Ｔ２学部Ｔ３学科」が最も合格難易度が低い学校で他の併願校候補よりも優先度が最も低くなっている。その間の合格難易度の学校は、合格難易度に応じた順序で表示される。
【００２６】
このような表示を行う場合、制御部１０３は、併願校候補抽出部１０６から併願校候補の学校ＩＤ、学部ＩＤ、学科ＩＤを取得する。制御部１０３は、学校ＤＢ管理部１０４により、併願校候補の学校ＩＤ、学部ＩＤ、学科ＩＤに該当する学校の学校名、学部名、学科名及び合格可能偏差値を学校ＤＢ４０から取得する。制御部１０３は、取得した学校名、学部名、学科名を合格可能偏差値順にソートして選定支援画像を生成する。制御部１０３は、上位から所定数（図４（ａ）では５校）の併願校候補の学校名、学部名、学科名を含む選定支援画像をディスプレイに表示する。なお出力装置３がプリンタの場合には、すべての併願校候補の学校名、学部名、学科名を含む選定支援画像がプリンタから出力される。
【００２７】
また、制御部１０３は、受験生ＤＢ管理部１０５により、受験生ＤＢ４１から受験生の第一志望校の学校ＩＤ、学部ＩＤ、学科ＩＤを取得する。制御部１０３は、受験生ＤＢ管理部１０５により、実績ＤＢ４２から、受験生の第一志望校の学校ＩＤ、学部ＩＤ、学科ＩＤを進学実績情報に含む卒業生の実績データを抽出する。制御部１０３は、抽出した卒業生の実績データの進学実績情報に含まれる該卒業生が受験した学校ＩＤ、学部ＩＤ、学科ＩＤを取得する。
【００２８】
制御部１０３は、卒業生が受験した学校ＩＤ、学部ＩＤ、学科ＩＤが併願校候補にあるか否かを判断する。併願校候補にある場合、制御部１０３は、この併願校候補の学校名を他の併願校候補の学校名よりも優先して表示する。例えば制御部１０３は、卒業生が受験した併願校候補の学校名を他の学校名よりも上位に表示する。例えば、図４（ａ）の場合、「Ｃ１大学Ｃ２学部Ｃ３学科」と「Ｄ１大学Ｄ２学部Ｄ３学科」は同じ合格難易度（合格可能偏差値６８）である。ここでは、「Ｃ１大学Ｃ２学部Ｃ３学科」を受験した卒業生がいるために、「Ｃ１大学Ｃ２学部Ｃ３学科」が「Ｄ１大学Ｄ２学部Ｄ３学科」よりも上位に優先して表示される。このとき制御部１０３は、卒業生が受験した学校、学部、学科となる併願校候補の学校名を拡大表示、色の変更、ハイライト表示等により強調表示してもよい。
【００２９】
また、例えば図５に例示する選定支援画像のように、合格難易度に応じた順序よりも上位に、卒業生が受験した併願校候補の学校名が合格難易度順に表示されてもよい。図５の例では、「Ｃ１大学Ｃ２学部Ｃ３学科」、「Ｆ１大学Ｆ２学部Ｆ３学科」、「Ｊ１大学Ｊ２学部Ｊ３学科」、「Ｋ１大学Ｋ２学部Ｋ３学科」が、卒業生が受験した併願校候補である。これらの学校名が、最も合格難易度の高い併願校候補（「Ａ１大学Ａ２学部Ａ３学科」）よりも上位に表示される。卒業生が受験した併願校候補の学校名と他の併願校候補の学校名との間は、仕切り線により分けられている。これにより受験生は、卒業生が受験した実績のある併願校候補を容易に確認することができるようになる。
【００３０】
卒業生が受験した実績のある併願校候補のうち、合格難易度が同等の併願校候補に対しては、以下のような処理により、優先して表示する併願校候補が決定されてもよい。
制御部１０３は、併願校候補毎に、卒業生の志願者数をカウントする。この場合、制御部１０３は、合格難易度が同等の併願校候補の学校名を、カウントした志願者数が多い順に表示することができる。
制御部１０３は、取得した進学実績情報により、卒業生が合格した学校名を確認することが可能である。そのために制御部１０３は、卒業生の合格者数を学校毎にカウントすることができる。例えば制御部１０３は、受験生と同じ学校に過去に在学していた卒業生の合格者数を学校毎にカウントする。制御部１０３は、合格難易度が同等の併願校候補の学校名を、合格者数の多い順に表示することができる。
制御部１０３は、学校ＤＢ管理部１０４により、学校ＤＢ４０から併願校候補の学校の前年度実質倍率を取得することができる。この場合、制御部１０３は、合格者数が同じ併願校候補の学校名を前年度実質倍率が低い順に表示することができる。
制御部１０３は、第一志望校が受験生と同じ卒業生の合格した併願校候補を優先して表示するようにしてもよい。
【００３１】
制御部１０３は、合格難易度が同等の複数の併願校候補の表示順を、これらを組み合わせて決定してもよい。例えば制御部１０３は、合格難易度が同等の各併願校候補に対して、卒業生の志願者数をカウントし、志願者数が多い順に併願校候補を表示する。志願者数も同じ場合、制御部１０３は、志願者数が同じ併願校候補に対して、受験生と同じ学校に過去に在学していた卒業生の合格者数をカウントし、合格者数が多い順に併願校候補を表示する。合格者数も同じ場合、制御部１０３は、合格者数が同じ併願校候補に対して、前年度実質倍率を確認し、実質倍率が低い順に併願校候補を表示する。実質倍率が同じ場合、第一志望校が同じ卒業生が合格した併願校候補を上位に表示する。
【００３２】
図５に例示する選定支援画像では、卒業生が受験した実績のある併願校候補のうち、「Ｊ１大学Ｊ２学部Ｊ３学科」と「Ｋ１大学Ｋ２学部Ｋ３学科」とが同じ合格難易度（合格可能偏差値６６）である。図５では、「Ｊ１大学Ｊ２学部Ｊ３学科」の方が「Ｋ１大学Ｋ２学部Ｋ３学科」よりも上位に表示されている。そのために「Ｊ１大学Ｊ２学部Ｊ３学科」の方が「Ｋ１大学Ｋ２学部Ｋ３学科」よりも志願者数が多い。志願者が同数であれば、「Ｊ１大学Ｊ２学部Ｊ３学科」の方が「Ｋ１大学Ｋ２学部Ｋ３学科」よりも合格者数が多い。志願者及び合格者が同じであれば、「Ｊ１大学Ｊ２学部Ｊ３学科」の方が「Ｋ１大学Ｋ２学部Ｋ３学科」よりも前年度実質倍率が低いことになる。前年度実質倍率が同じであれば、「Ｊ１大学Ｊ２学部Ｊ３学科」の方が「Ｋ１大学Ｋ２学部Ｋ３学科」よりも第一志望校が受験生と同じ卒業生の合格者数が多いことになる。
【００３３】
制御部１０３は、合格可能性判定部１０７の判定結果に基く順序で併願校候補を表示する選定支援画像を生成してもよい。制御部１０３は、合格可能性判定部１０７から受験生の第一志望校及び併願校候補の合格可能性の判定結果を取得する。制御部１０３は、取得した判定結果に基づき、第一志望校の合格可能性よりも合格可能性が低いと判定された併願校候補を特定する。制御部１０３は、選定支援画像を生成する際に、特定した第一志望校の合格可能性よりも合格可能性が低いと判定された併願校候補の学校名を選定支援画像から除外する。これにより、第一志望校の合格可能性よりも合格可能性が低いと判定された併願校候補の学校名が表示されなくなる。受験生は、合格可能性の高い併願校候補から併願校を選定することが可能となる。
【００３４】
図６は、合格可能性の判定結果を反映させた選定支援画像の例示図である。第一志望校（「Ｘ１大学Ｘ２学部Ｘ３学科」）の合格可能偏差値を６７とする。この場合、合格可能偏差値が６８以上の学校に対する受験生の合格可能性は、第一志望候補の合格可能性よりも低くなる。そのために図６の選定支援画像は、図５の選定支援画像から合格可能偏差値が６８以上の学校が消去された画像となる。
【００３５】
また、制御部１０３は、学校ＤＢ４０を参照して併願校候補の入学試験日を確認し、併願校候補を入学試験日に応じて分けて表示する選定支援画像を出力装置３から出力させてもよい。図７は、この場合の選定支援画像の例示図である。この選定支援画像では、第一志望校の入学試験日が２月２３日であり、併願校候補が入学試験日に応じて２月９日を境にして前後一週間分ずつ分けて表示される。このような選定支援画像は、併願校候補を、二週間より多くの週にわたって表示してもよい。各週の併願校候補の表示数は５校であるが、表示数はこれに限られない。また、選定支援画像の「もっと見る」をユーザが入力装置２により選択することで、当該週の他の併願校候補が、例えば図４（ｂ）の選定支援画像に例示するような形態で出力される。また、一週間毎ではなく、例えば１０日毎に分けて併願校候補が表示されてもよい。各週の併願校候補は、図５に示すように卒業生が受験した実績のある併願校候補が他の併願校候補よりも上位に表示されている。
【００３６】
（併願校選定支援処理）
図８は、本実施形態の併願校選定支援処理を表すフローチャートである。この処理は、例えば制御部１０３が、入力部１０１を介して入力装置２から併願校選定支援処理の開始指示を受け付けることで開始される。開始指示には、受験生ＩＤが含まれている。
【００３７】
開始指示を受け付けた制御部１０３は、開始指示に含まれる受験生ＩＤに該当する受験生の第一志望校を確認する（Ｓ１０１）。制御部１０３は、受験生ＤＢ管理部１０５により受験生ＤＢ４１の該受験生ＩＤの受験生データを参照することで、該受験生の第一志望校（学校ＩＤ、学部ＩＤ、及び学科ＩＤ）を確認することができる。
【００３８】
第一志望校を確認した制御部１０３は、併願校候補抽出部１０６により第一志望校に応じた併願校候補を抽出する（Ｓ１０２）。併願校候補抽出部１０６は、学校ＤＢ管理部１０４により学校ＤＢ４０を参照して、第一志望校の学校データと他の学校の学校データとの比較により併願校候補を抽出する。そのために併願校候補抽出部１０６は、まず、第一志望校の学校データから入学試験日及び試験科目を取得する。併願校候補抽出部１０６は、学校ＤＢ管理部１０４により学校ＤＢ４０を検索し、第一志望校の入学試験日よりも入学試験日が前で、出願締切日が経過しておらず、且つ第一志望校の試験科目により受験可能な学校を併願校候補として抽出する。併願校候補抽出部１０６は、抽出した併願校候補の学校ＩＤ、学部ＩＤ、及び学科ＩＤを制御部１０３へ送信する。
【００３９】
制御部１０３は、第一志望校を受験した卒業生を抽出する（Ｓ１０３）。制御部１０３は、受験生ＤＢ管理部１０５により実績ＤＢ４２のすべての実績データを検索し、進学実績情報に第一志望校の学校ＩＤ、学部ＩＤ、及び学科ＩＤを含む実績データを抽出する。抽出した実績データが第一志望校を受験した卒業生の実績データである。
【００４０】
制御部１０３は、抽出した卒業生の実績データの進学実績情報により、卒業生が受験した学校を確認する（Ｓ１０４）。制御部１０３は、併願校候補と卒業生が受験した学校とに基づいて図４〜図７に例示する選定支援画像を生成し、出力部１０２を介して出力装置３から選定支援画像を出力する（Ｓ１０５）。
【００４１】
以上のような処理により、受験生に対して第一志望校に応じた最適な併願校の選定を支援する情報を供給することができる。受験生は、選定支援画像により自身の希望に応じた併願校を容易に選定することができるようになる。また、提示される併願校候補は、いずれも第一志望校の試験科目により受験可能な学校である。受験生は、第一志望校の受験勉強を行うことで併願校用の受験勉強を同時に行うことになるために、併願校用の受験勉強を特別に行う必要がなくなる。そのために受験生は、受験勉強の負担を軽減することができる。
【００４２】
制御部１０３は、受験生が併願校を選定する際に、該受験生の第一志望校と該受験生が選択した併願校とのそれぞれの合格確率に基づいて、いずれか一つの学校に合格する確率、或いはいずれの学校にも合格しない確率を出力装置３により出力してもよい。例えば、制御部１０３は、受験生が併願校候補から選択した併願校と該受験生の第一志望校とのそれぞれの合格確率を乗算して、いずれか一つの学校に合格する確率、或いはいずれの学校にも合格しない確率を算出する。
制御部１０３は、算出した確率を出力装置３から出力する。このような処理では、受験生は、合格する可能性がより高い第一志望校と併願校の組み合わせを確認しながら、併願校を選定することができる。
【００４３】
（変形例）
本実施形態の情報処理装置１は、受験生の得意科目・得意分野に基づいて、その得意科目・得意分野の配点が大きな学校を優先して表示してもよい。図９は、このような処理を行う場合の学校データ及び受験生データの説明図である。
【００４４】
図９（ａ）は、学校データの説明図である。この学校データは、図３（ａ）の学校データの試験科目の項目が細分化されており、試験科目Ａ〜試験科目Ｃのそれぞれの配点比率が含まれている。図９（ａ）の例では、試験科目Ａの配点比率が４０％であり、試験科目Ｂ、Ｃの配点比率が３０％である。
図９（ｂ）は、受験生データの説明図である。この受験生データは、図３（ｂ）の受験生データの成績履歴の項目が細分化されており、試験科目毎の成績履歴が含まれている。図９（ｂ）の例では、試験科目Ａ〜Ｅのそれぞれの成績履歴が受験生データに含まれる。
【００４５】
例えば、試験科目Ａの成績が他の試験科目に比べて良好な場合、この受験生は、試験科目Ａの配点比率が大きい図９（ａ）の学校に合格する可能性が高いと考えられる。このように受験生の試験科目毎の成績と、学校の試験科目毎の配点比率とを比較することで、合格する可能性が高い学校を受験生に推薦することができる。
【００４６】
制御部１０３は、併願校候補抽出部１０６から取得する併願校候補について、学校ＤＢ４０の学校データにより試験科目毎の配点比率を確認する。制御部１０３は、受験生データの試験科目毎の成績履歴に基づいて、受験生の得意科目・得意分野を分析する。例えば制御部１０３は、試験科目毎の直近の成績や、成績の変化の傾向により、受験生が得意とする科目や分野を判断する。複数回の試験結果の平均が高い科目や、過去の成績からの伸び率が高い科目が、受験生が得意とする科目や分野となる。
【００４７】
制御部１０３は、受験生が得意とする科目や分野に関する試験科目毎の配点比率を、併願校候補毎に確認する。その結果、制御部１０３は、受験生の得意科目や得意分野の配点が大きい順に併願校候補の学校名を表示することが可能となる。例えば理系科目が得意な受験生は、数学や理科の得点が高い傾向にある。そのために制御部１０３は、数学や理科の配点比率が高い併願校候補を選定支援画像の上位に表示して、受験生に合格可能性が高い併願校候補を優先的に表示することができる。
【００４８】
選定支援画像自体は、図４〜図７に例示する画像と同様になる。受験生が得意とする科目や分野に基づいて生成された選定支援画像は、受験生にとって合格しやすい併願校候補が優先して表示される。そのために受験生は、合格可能性の高い併願校を選定しやすくなる。
【要約】
【課題】併願校の選定を支援する装置を提供する。
【解決手段】併願校選定支援装置は、複数の学校のそれぞれの合格難易度、試験科目、入学試験日、及び出願締切日を記憶する学校ＤＢ４０と、受験生の第一志望校を記憶する受験生ＤＢ４１と、複数の過去の受験生のそれぞれが受験した受験校を記憶する実績ＤＢ４２と、学校ＤＢ４０を参照して、受験生の第一志望校の入学試験日よりも入学試験日が前で、出願締切日が経過しておらず、且つ受験生の第一志望校の試験科目により受験可能な学校を併願校候補として抽出する併願校候補抽出部１０６と、抽出された併願校候補の学校名を合格難易度に応じた順序で出力装置３に表示する制御部３と、を備える。制御部１０３は、併願校候補に受験生の第一志望校を受験した過去の受験生の受験校があれば、その学校名を他の学校名よりも優先して表示する。
【選択図】図２【図１】
0006940675.tif 000002
【図２】
0006940675.tif 000003
【図３】
0006940675.tif 000004
【図４】
0006940675.tif 000005
【図５】
0006940675.tif 000006
【図６】
0006940675.tif 000007
【図７】
0006940675.tif 000008
【図８】
0006940675.tif 000009
【図９】
0006940675.tif 000010